(57)【要約】【課題】クーポン券のコード部分を注文端末で容易に撮影できる、注文端末を取り付ける注文端末台を提供する。【解決手段】注文端末を、注文端末での撮影を可能に取り付ける取付部と、取付部に対向して設けられ、少なくとも、取付部に取り付けた注文端末の撮影領域部分に光透過性を有する押さえ部と、取付部と押さえ部とを所定の間隔で連結する脚部と、を備えて注文端末台を構成した。【選択図】図１
2014149695.tif 000002
【特許請求の範囲】
【請求項１】
撮影手段を備えた注文端末を、前記撮影手段による撮影を可能に取り付ける取付部と、
前記取付部に対向して設けられ、少なくとも、前記取付部に取り付けた前記注文端末の撮影領域部分に光透過性を有する押さえ部と、
前記取付部と前記押さえ部とを連結する脚部と、を備えたことを特徴とする注文端末台。
【請求項２】
前記取付部は、前記取付部に取り付けた前記注文端末の撮影手段の撮影レンズの位置に、窓部を備えていることを特徴とする請求項１に記載の注文端末台。
【請求項３】
前記押さえ部は、光透過性を有する撮影窓を備え、前記撮影窓の下面は、前記撮影窓の周囲の前記押さえ部の下面より上方に形成されていることを特徴とする請求項１又は２に記載の注文端末台。
【請求項４】
前記脚部は、前記取付部と前記押さえ部とを、前記取付部に取り付けられた前記注文端末が、前記押さえ部の下部に配置された券片を所定の大きさで撮影するように所定の間隔で連結する長さを備えていることを特徴とする請求項１〜３のいずれか１項に記載の注文端末台。
【請求項５】
平板状で、光透過性を有する撮影窓を備えた底板と、
前記底板に対向して設けられ、注文端末の撮影レンズに対応した窓部を備え、前記窓部を通して前記撮影窓の下部の画像を撮影可能に前記注文端末を載置する天板と、
前記底板と前記天板との間に設けられ、前記注文端末で、前記撮影窓の下部の画像が所定の大きさで撮影されるように前記底板と前記天板とを連結する側板と、を備えたことを特徴とする注文端末台。
【発明の詳細な説明】
【技術分野】
【０００１】
本発明の実施形態は、注文端末を取り付ける注文端末台に関する。
【背景技術】
【０００２】
店舗内の各テーブルにハンディターミナル（注文端末）を配置し、客が自ら注文端末を操作して注文を行う、セルフオーダーシステムが知られている。セルフオーダーシステムで、会員証やクーポン券等を利用しようとする場合、ハンディターミナルに装備されているカメラ機能を用いて、各券片に記載されたコードを客が自ら撮影することが考えられる。
【０００３】
しかし、コードの撮影には、コードがカメラの読取範囲からはみ出したり、あるいは小さくなり過ぎないように、注文端末の位置を調整する必要がある。又、コードの撮影には、カメラのピントが合うまで、画像が動かないよう、注文端末を保持する必要がある。そのため、セルフオーダーシステムで会員証やクーポン券等を利用しようとすると、客に各種の操作を要求することとなり、支障の発生が想定される。
【先行技術文献】
【特許文献】
【０００４】
【特許文献１】特開２００７−１４１１２０号公報
【発明の概要】
【発明が解決しようとする課題】
【０００５】
本発明が解決しようとする課題は、注文端末を取り付け、クーポン券などの券片に記載されているコードの部分等を、客が自ら注文端末を操作して、容易に、かつ確実に撮影することができる注文端末台を提供することである。
【課題を解決するための手段】
【０００６】
本実施形態の注文端末台は、注文端末を、注文端末の撮影機能を撮影可能な状態で取り付ける端末取付部と、端末取付部に対向して、端末取付部と所定の距離離れた位置に設けられた光透過性を有する押さえ部と、端末取付部と押さえ部との間を連結する脚部と、を備えて構成されている。
【図面の簡単な説明】
【０００７】
【図１】一実施形態にかかる注文端末台を示す分解斜視図。
【図２】注文端末と注文端末台とを示す斜視図。
【図３】注文端末台を示す断面図。
【図４】注文を行うときの注文端末台を示す斜視図。
【図５】コード部分の読み取りを行うときの注文端末台を示す斜視図。
【図６】注文システムの構成を示す模式図。
【図７】注文端末を示す背面図。
【図８】注文端末を示す正面図。
【発明を実施するための形態】
【０００８】
一実施形態にかかる注文端末台について、図面を用いて説明する。図１は、注文端末台１０を示す分解斜視図である。図２は、注文端末５０と注文端末台１０とを示す分解斜視図である。図３は、注文端末５０が取り付けられた注文端末台１０を、窓部３４を通る線で破断した断面図である。図４は、注文端末台１０に取り付けた注文端末５０で注文を行うときの斜視図である。図５は、注文端末台１０に取り付けた注文端末５０でコード部分の読み取りを行うときの斜視図である。図６は、注文端末の制御回路を示すブロック図である。図７は、注文端末５０の蓋体部５４を閉じた状態を示す背面図である。図８は、注文端末５０の蓋体部５４を開いた状態を示す正面図である。
【０００９】
注文端末台１０は、図１に示すように、端末台本体１２と止め板１４とを備える。以下、図１の矢印Ａで示す方向、つまり端末台本体１２の止め板１４が取り付けられる側と逆側を注文端末台１０の前方とし、その逆を後方とし、それを基準に左右を定める。又、端末台本体１２は、図１に示すように概ね台形状を有する。図１に示すように、注文端末台１０をテーブル１００上に置いた状態において、テーブル１００を水平とし、台形形状の水平の辺の長さが長い方を注文端末台１０の下方、水平の辺の長さが短い方を上方とする。
【００１０】
端末台本体１２は、図１に示すように取付部２０と、脚部３０と、押さえ部４０とを備える。注文端末５０は、図２、図３に示すように取付部２０に取り付ける。
【００１１】
注文端末５０は、図８に示すように端末本体部５２と蓋体部５４とを備える。端末本体部５２と蓋体部５４とは、連結具５６を介して屈曲自在に連結してある。図７に、蓋体部５４を閉じた状態の注文端末５０の裏面を示す。蓋体部５４は、端末本体部５２に対して、閉じた状態から概ね２４０度の開き角（図３参照）を有する。
【００１２】
端末本体部５２の表面には、第１ディスプレイ６５と第１タッチパネル６６とを備える。第１ディスプレイ６５は、例えばＬＣＤ（Liquid Crystal Display）である。第１ディスプレイ６５は、例えばメニュー品目を注文するための注文画面や撮像部６８からの画像を表示する。第１タッチパネル６６は、第１ディスプレイ６５の表示面上に配置してあり、第１ディスプレイ６５に対する操作を検知する。端末本体部５２の裏面には、撮影レンズ７２を備える。
【００１３】
蓋体部５４は、第２ディスプレイ７４と第２タッチパネル７６とを備える。第２ディスプレイ７４は、例えばＬＣＤ（Liquid Crystal Display）であり、蓋体部５４の裏面に設けてある。第２ディスプレイ７４は、メニュー品目を注文するための注文画面等を表示する。第２タッチパネル７６は、第２ディスプレイ７４の表示面上に配置してあり、第２ディスプレイ７４に対する操作を検知する。
【００１４】
図６に、注文システムの概略構成を示す。注文システムは、複数の注文端末５０と、アクセスポイント７０と、サーバ８０と、キッチンプリンタ８２と、ＰＯＳ(Point of Sales)端末８４と、ＬＡＮ（Local Area Network）回線８６とを含む。
【００１５】
注文端末５０は、アクセスポイント７０と無線通信する。注文端末５０は、アクセスポイント７０、及びＬＡＮ回線８６を介してサーバ８０とキッチンプリンタ８２とＰＯＳ端末８４と通信可能である。
【００１６】
注文端末５０は、ＣＰＵ（Central Processing Unit）６０を備えている。ＣＰＵ６０には、ＲＯＭ（Read Only Memory）６２、ＲＡＭ（Random Access Memory）６３、無線通信部６４、第１ディスプレイ６５、第１タッチパネル６６、撮影手段としての撮像部６８、第２ディスプレイ７４、第２タッチパネル７６が接続している。
【００１７】
ＲＯＭ６２は、ＣＰＵ６０が実行するプログラムなどを記憶する。ＲＡＭ６３は、各種のワークメモリエリアを形成する。無線通信部６４は、例えば電波を利用してアクセスポイント７０と無線通信する。撮像部６８は、撮影レンズ７２と撮像素子とを備える。撮像素子は、撮影レンズ７２を通過した光を電気信号に変換する。又、撮像部６８は、撮影レンズ７２のピント合わせを行う合焦機構を備える。尚、撮影レンズ７２は、レンズのズーム機能を有していてもよい。
【００１８】
注文端末５０は、設定モードとして、撮影モードとコード読取モードとを備える。注文端末５０を撮影モードに設定すると、撮影レンズ７２を通して撮影した画像が、端末本体部５２の第１ディスプレイ６５に表示される。又、注文端末５０を撮影モードに設定すると、第１ディスプレイ６５には、図５に示すように内蔵カメラのシャッターボタン７８が表示される。シャッターボタン７８を、使用者が操作すると撮影レンズ７２を通した画像が保存される。尚、シャッターボタン７８は、第１ディスプレイ６５でなく、注文端末５０の外周部分など、第１ディスプレイ６５以外の部分に設けられていてもよい。
【００１９】
注文端末５０をコード読取モードに設定すると、ＣＰＵ６０は、撮影レンズ７２で撮影した内容をコード情報として認識し、撮影されたコード情報を解読する。
【００２０】
注文端末５０は、第１ディスプレイ６５や第２ディスプレイ７４の操作で、客から注文が入力されると、無線通信部６４を用いてアクセスポイント７０に注文情報を送信する。注文情報は、アクセスポイント７０からＬＡＮ回線８６を介してサーバ８０に送られ、サーバ８０のデータベースに記録される。サーバ８０は、注文情報をキッチンプリンタ８２に送り、調理場で注文内容がプリントアウトされる。
【００２１】
又、サーバ８０は、注文情報をＰＯＳ端末８４に送る。ＰＯＳ端末８４は、会計処理等を行う。更に、注文端末５０が読み取った内容が、会員登録やクーポン券等に関する事項である場合、サーバ８０にアクセスして照合や登録を行い、又、ＰＯＳ端末８４では、割引やポイント加算などの処理を行なう。
【００２２】
次に、注文端末台１０について説明する。端末台本体１２は、例えば、光透過性を有する樹脂材で全体が形成してある。端末台本体１２は、底板２２と、底板２２の両側にそれぞれ設けられた左側壁２４及び右側壁２６と、前板２８と、天板３２と、係合棹４２とを備える。
【００２３】
底板２２は、平板状で、図３に示すように撮影用の撮影窓２３が設けてある。撮影窓２３は、撮影対象である会員証やクーポン券などの券片１０２に記載されている読取部分としてのコードの部分より広く形成してある。又、撮影窓２３は、底板２２から凹んだ状態、つまり撮影窓２３の下面２７は、底板２２の下面２５より上側に形成してある。
【００２４】
尚、端末台本体１２は、全体を透明な樹脂材で形成しなくともよい。しかし、端末台本体１２を光透過性を有していない材質から形成したときでも、撮影窓２３は、光透過性を有する素材で形成するか、あるいは撮影窓２３の部分を底板２２から切り欠いて形成する。特許請求の範囲でいう押さえ部は、底板２２をいう。
【００２５】
左側壁２４と右側壁２６とは、底板２２に、垂直な状態より若干内側に傾斜して設けてある。左側壁２４と右側壁２６とは、底板２２に対して同一の角度で傾斜している。尚、左側壁２４と右側壁２６との底板２２に対する角度は、互いに異なっていてもよい。
【００２６】
左側壁２４は、端末台本体１２を後方から見て、底板２２の左端より、注文端末台１０の上部にまで延びている。右側壁２６は、同様に底板２２の右端より、蓋体部５４の厚み幅分内側の位置を一端とし、端末台本体１２の上端から端末本体部５２の厚み幅分高さ下がった位置までを他端として形成してある。
【００２７】
天板３２は、右側壁２６の上端に接続し、底板２２と平行に延びて左側壁２４に連結している。天板３２には、撮影用の窓部３４が形成してある。窓部３４は、注文端末５０を注文端末台１０に取り付けたとき、注文端末５０の撮影レンズ７２に対応する位置に設けてある。
【００２８】
左側壁２４の上端には、係合片３６が形成してある。係合片３６は、天板３２と平行に設けてあり、注文端末５０を取り付けたとき、端末本体部５２の端部に係合する長さを有している。底板２２の右端には係合片３８が形成してある。係合片３８は、右側壁２６と平行に設けてあり、注文端末５０を取り付けたとき、蓋体部５４の端部に係合する長さを有している。特許請求の範囲でいう脚部は、基本的に左側壁２４と右側壁２６とのことをいう。
【００２９】
前板２８は、注文端末台１０の前方に設けてある。前板２８の下部は、底板２２と同一の幅を有している。前板２８の上部は、端末台本体１２を後方から見て、係合片３６と係合片３８のそれぞれの延長線の交点を右端とし、左側壁２４の上端を左端として形成してある。前板２８の右上端には、係合棹４２が設けてある。
【００３０】
係合棹４２は、上側片と右側片とを備え、断面が山型に形成してある。係合棹４２は、底板２２の右端縁と平行に、前板２８の右上端から底板２２の後端と同一の位置まで延びている。係合棹４２の上側片と天板３２との間は、端末本体部５２の厚み幅とほぼ等しい間隔に形成してある。又、係合棹４２の右側片と右側壁２６との間隔は、蓋体部５４の厚み幅とほぼ等しい間隔に形成してある。
【００３１】
天板３２と右側壁２６と係合片３６と係合片３８と係合棹４２で区画された部分を、取付部２０とする。特許請求の範囲でいう取付部は、取付部２０をいう。取付部２０は、図２に示すように、注文端末５０を、蓋体部５４を開いた状態で差し入れ可能である。取付部２０に注文端末５０を差し入れた場合、取付部２０と注文端末５０との間には、大きな隙間が生じない。又、注文端末５０を取付部２０に取り付けると、撮影レンズ７２が天板３２に形成してある窓部３４に一致する。
【００３２】
更に、注文端末５０を取付部２０に取り付けると、端末本体部５２に備えられる第１ディスプレイ６５が上方に露出し、蓋体部５４に備えられる第２ディスプレイ７４が側方に露出する。したがって、かかる状態で、第１ディスプレイ６５や第２ディスプレイ７４が、操作可能となる。
【００３３】
更に、取付部２０は、取付部２０に注文端末５０を取り付けたときに、底板２２の下に配置した券片１０２が撮影レンズ７２で所定の大きさで撮影されるように底板２２との間隔が設定してある。ここで所定の大きさとは、券片１０２に記載されているバーコード等が注文端末５０での撮影範囲からはみだすことなく、かつ、バーコードとして認識可能な大きさであることをいう。
【００３４】
止め板１４は、端末本体部５２の後方の外形とほぼ等しく、台形状に形成され、凸部４８と、凹部６７を有する。凸部４８は、底板２２と左側壁２４と天板３２と右側壁２６とで区画形成された空間４６と等しい形状である。
【００３５】
凸部４８は、凸部４８を空間４６内に嵌めたときには、止め板１４の外形が端末本体部５２の外形に一致し、かつ、端末本体部５２から容易に取り外されない程度の強度で取り付けられることが望ましい。又、凹部６７は、凸部４８の外側に沿って、止め板１４に備えられる。凹部６７は、止め板１４を端末本体部５２に取り付けると、取付部２０の内部の空間に連続する。
【００３６】
次に、注文端末台１０の作用、効果について説明する。飲食店等の店舗内において、注文端末５０は、注文端末台１０に取り付けて、各テーブルに配置してある。前述したように注文端末５０は、蓋体部５４を開いた状態で、注文端末台１０に取り付けてある。
【００３７】
客は、注文端末５０の第１ディスプレイ６５、あるいは第２ディスプレイ７４を操作して、注文内容や数量等を入力する。入力された注文情報は、アクセスポイント７０を介して、サーバ８０に送られる。これにより、客からの注文がテーブル１００上の注文端末５０から、店舗側に送信される。更に、客が注文に際して、会員証を入力したり、クーポン券を利用する場合は次のようにして行う。
【００３８】
客は、例えば、第１ディスプレイ６５を操作して、注文端末５０をコード読取モードに設定する。客が、注文端末５０をコード読取モードに設定すると、注文端末５０は、撮像部６８が起動し、撮影レンズ７２を通して画像を撮影する状態になる。
【００３９】
客は、券片１０２（例えばクーポン券）をテーブル１００の上に、クーポン券に記載されている読取部分としてのコードを上にして置く。コードは、例えば、バーコードやＱＲコード（登録商標）などである。
【００４０】
客は、注文端末台１０をクーポン券の上に載せる。クーポン券は、底板２２で押さえられ、撮影窓２３を通して撮影される。客は、第１ディスプレイ６５が表示する画像を見ながら、クーポン券のコードが注文端末５０の読取範囲に収まるように位置合わせを行う。クーポン券のコードを読取範囲に収め、更に、撮影レンズ７２のピントがあったら、客は、シャッターボタン７８を押下する。尚、コードを注文端末５０が自動認識して、シャッターがオンされるようにしてもよい。
【００４１】
撮像部６８が撮影したコードの画像は、ＣＰＵ６０に送られ、クーポン券に記載されているコードが解読される。解読されたコード情報は、注文端末５０からアクセスポイント７０とＬＡＮ回線８６を介してサーバ８０に送信される。サーバ８０は、コード情報をＰＯＳ端末８４に送る。ＰＯＳ端末８４は、コード情報に基づいて割引等の処理を行う。
【００４２】
注文端末５０は、注文端末台１０により、テーブル１００上に置かれたクーポン券から所定の位置、つまり、底板２２から天板３２までの距離に保持される。これにより、注文端末５０は、テーブル１００上に置かれたクーポン券等の券片１０２に記載されたコードを適切な大きさで撮影する。したがって、客は、注文端末台１０をテーブル１００の上で移動させるだけでよく、クーポン券等券片１０２との距離を調整する必要なく、適切な大きさで容易に券片１０２を撮影できる。
【００４３】
撮影窓２３が窪み、撮影窓２３の下面２７が、底板２２の下面２５より上方に設けてあるので、底板２２をテーブル１００上で滑らせて、表面に仮に擦り傷がついても、撮影窓２３の下面２７には擦り傷が発生しない。そのため注文端末台１０の撮影窓２３は、常に透明な状態を保持できる。
【００４４】
注文端末台１０は、底板２２の下面２５がクーポン券等の券片１０２を上から押さえるので、クーポン券を平坦にして、記載されているコードを適切に撮影できる。
【００４５】
尚、前記実施形態では、注文端末５０は、端末本体部５２と蓋体部５４とを連結した開閉型としたが、本発明は、これに限らず、蓋体部を備えない注文端末であってもよい。又、注文端末台１０は、台形でなく横断面が四角形でもよい。又、前後方向からみて、左右非対称の形状でもよい。
【００４６】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
Ａ…矢印、１０…注文端末台、１２…端末台本体、１４…押さえ板、２０…取付部、２２…底板、２３…撮影窓、２４…左側壁、２５…下面、２６…右側壁、２７…下面、２８…前板、３０…脚部、３２…天板、３４…窓部、３６…係合片、３８…係合片、４２…係合棹、４６…空間、４８…凸部、５０…注文端末、５２…端末本体部、５４…蓋体部、５６…連結具、６０…ＣＰＵ、６２…ＲＯＭ、６３…ＲＡＭ、６４…無線通信部、６５…第１ディスプレイ、６６…第１タッチパネル、６７…凹部、６８…撮像部、７０…アクセスポイント、７２…撮影レンズ、７４…第２ディスプレイ、７６…第２タッチパネル、７８…シャッターボタン、８０…サーバ、８２…キッチンプリンタ、８４…ＰＯＳ端末、８６…ＬＡＮ回線、１００…テーブル、１０２…券片。
【図１】
2014149695.tif 000003
【図２】
2014149695.tif 000004
【図３】
2014149695.tif 000005
【図４】
2014149695.tif 000006
【図５】
2014149695.tif 000007
【図６】
2014149695.tif 000008
【図７】
2014149695.tif 000009
【図８】
2014149695.tif 000010